(57)【要約】【課題】化粧パネルを容易かつ短時間で室内機本体に取付けることのできる天井埋込型空気調和機の化粧パネル取付構造を提供する。【解決手段】吸込み口３及びその外側に設けた複数の吹出し口５を有し、熱交換器及び送風機３が内蔵されて天井裏に設置される室内機本体１と、吸込み口３に対応して吸込みグリル１１が設けられ、吹出し口５に対応してパネル吹出し口１２が設けられて室内機本体１の下面に取付けられる化粧パネル１０と、多角形に形成されて外周に化粧パネル１０のパネル吹出し口１２に対応して同一方向に折り曲げられた嵌合部２３が設けられ、中央部近傍に把持部２４ａ，２４ｂが形成されて、嵌合部２３を化粧パネル１０のパネル吹出し口１２に着脱可能に嵌合して一体化される化粧パネル取付治具２０とを備えたものである。【選択図】図１
2011017507.tif 000002
【特許請求の範囲】
【請求項１】
吸込み口及びその外側に設けた複数の吹出し口を有し、熱交換器及び送風機が内蔵されて天井裏に設置される室内機本体と、
前記吸込み口に対応して吸込みグリルが設けられ、前記吹出し口に対応してパネル吹出し口が設けられて前記室内機本体の下面に取付けられる化粧パネルと、
多角形に形成されて外周に前記化粧パネルのパネル吹出し口に対応して同一方向に折り曲げられた嵌合部が設けられ、中央部近傍に把持部が形成されて、前記嵌合部を前記化粧パネルのパネル吹出し口に着脱可能に嵌合して一体化される化粧パネル取付治具とを備えたことを特徴とする天井埋込型空気調和機の化粧パネル取付構造。
【請求項２】
前記化粧パネル取付治具を、前記化粧パネルに設けたパネル吹出し口の数の２倍の辺を有する多角形に形成し、前記辺の１つおきに前記嵌合部を設けたことを特徴とする請求項１記載の天井埋込型空気調和機の化粧パネル取付構造。
【請求項３】
前記多角形に形成された化粧パネル取付治具の１つおきに対向する辺の内側に、前記化粧パネルのパネル吹出し口の内のり間の距離とほぼ等しい間隔で折り目を設け、該折り目の外側に嵌合部を形成したことを特徴とする請求項１又は２記載の天井埋込型空気調和機の化粧パネル取付構造。
【請求項４】
前記化粧パネル取付治具の中央部近傍に、貫設又は切り起こしによりほぼ楕円状の２つの穴を設け、該穴により把持部を形成したことを特徴とする請求項１〜３のいずれかに記載の天井埋込型空気調和機の化粧パネル取付構造。
【請求項５】
前記化粧パネル取付治具に、第１の段部と該第１の段部から前記化粧パネルの厚みに対応した距離だけ離れて設けた第２の段部とからなるほぼ階段状の高さ調整部を取り外し可能に設けたことを特徴とする請求項１〜４のいずれかに記載の天井埋込型空気調和機の化粧パネル取付構造。
【請求項６】
前記化粧パネル取付治具を、段ボールで形成したことを特徴とする請求項１〜５のいずれかに記載の天井埋込型空気調和機の化粧パネル取付構造。
【発明の詳細な説明】
【技術分野】
【０００１】
本発明は、天井裏に設置された天井埋込型空気調和機の室内機の化粧パネル取付構造に関するものである。
【背景技術】
【０００２】
最近、オフィスビルなどの天井にグリッドシステム天井を用いることが多い。グリッドシステム天井は、６００ｍｍ角の正方形のパネル（天井材）を並べた天井で、間仕切り位置を自由に設定できることや低コストであるなどのメリットがある。
【０００３】
このようなグリッドシステム天井にビル用マルチ形空気調和機を設けた場合は、従来は、一般に天井裏に室内機を設置して天井ダクト吹きとしていた。しかし、空気調和の増強や間仕切りの追加による個別空調の対応が大掛りとなって好ましくないため、天井カセット型室内機の使用が増加している。
【０００４】
従来の天井カセット型室内機は、図８に示すように、熱交換器や送風機（図示せず）を内蔵し、下面中央部に空気の吸込み口１０１が設けられ、その外周に複数の吹出し口１０２が設けられて、吊り具（図示せず）により天井裏に吊り下げられた室内機本体１００と、中央部に室内機本体１００の吸込み口１０１に対応して吸込みグリル１１１が設けられ、その外周に室内機本体１００の吹出し口１０２に対応してパネル吹出し口１１２が設けられて、室内機本体１００の下面に取付けられる四角形の化粧パネル１１０とからなっている。
【０００５】
そして、天井に設置された室内機本体１００に化粧パネル１１０を取付ける場合は、化粧パネル１１０を両手で支えて室内機本体１００の下面に当接し、仮固定したのち化粧パネル１１０に設けた複数のねじ挿通穴１１３に挿通したねじを、室内機本体１００に設けたねじ穴１０３に螺入し、一体に固定している（本発明に関する先行技術文献を調査したが、特許文献、非特許文献のいずれについても発見できなかった）。
【発明の概要】
【発明が解決しようとする課題】
【０００６】
従来の天井カセット型室内機の室内機本体１００に化粧パネル１１０を取付ける場合は、化粧パネル１１０を両手で支えて室内機本体１００の下面に当接する、仮固定する、ねじで本固定する等の工程が必要なため、取付作業が面倒で多くの時間を要するという問題があった。
【０００７】
本発明は、上記の課題を解決するためになされたもので、化粧パネルを容易かつ短時間で室内機本体に取付けることのできる天井埋込型空気調和機の化粧パネル取付構造を提供することを目的とするものである。
【課題を解決するための手段】
【０００８】
本発明に係る天井埋込型空気調和機の化粧パネル取付構造は、吸込み口及びその外側に設けた複数の吹出し口を有し、熱交換器及び送風機が内蔵されて天井裏に設置される室内機本体と、前記吸込み口に対応して吸込みグリルが設けられ、前記吹出し口に対応してパネル吹出し口が設けられて前記室内機本体の下面に取付けられる化粧パネルと、多角形に形成されて外周に前記化粧パネルのパネル吹出し口に対応して同一方向に折り曲げられた嵌合部が設けられ、中央部近傍に把持部が形成されて、前記嵌合部を前記化粧パネルのパネル吹出し口に着脱可能に嵌合して一体化される化粧パネル取付治具とを備えたものである。
【発明の効果】
【０００９】
本発明によれば、化粧パネルを室内機本体に取付ける際に、化粧パネル取付治具が装着された化粧パネルを、片手で支えながら他方の手で室内機本体にねじ止めして取付けることができるので、取付けが容易で作業時間を短縮することができる。
【図面の簡単な説明】
【００１０】
【図１】本発明の一実施の形態に係る天井埋込型空気調和機の室内機の分解斜視図及び化粧パネル取付治具の斜視図である。
【図２】図１の化粧パネルの下面図である。
【図３】図１の化粧パネル取付治具の平面図である。
【図４】室内機本体への化粧パネルの取付手順の説明図である。
【図５】室内機本体への化粧パネルの取付手順の説明図である。
【図６】室内機本体へ化粧パネルを取付けた状態を示す斜視図である。
【図７】天井への室内機本体の位置決め手段を示す説明図である。
【図８】従来の天井カセット型室内機の化粧パネルの取付手順の説明図である。
【発明を実施するための形態】
【００１１】
図１は本発明の一実施の形態に係る天井埋込型空気調和機の室内機の分解斜視図及び化粧パネル取付治具の斜視図、図２は図１の化粧パネルの下面図、図３は図１の化粧パネル取付治具の平面図である。なお、図にはグリッドシステム天井に天井カセット室内機を設置した場合を示してある。
【００１２】
保持バー３１と正方形の天井材３２からなるグリッドシステム天井３０（以下、システム天井という）には、天井材３２を除去した開口部３３が設けられており、この開口部３３に臨んで、天井裏に設けた吊り具３４に吊り下げられた天井カセット型室内機１の室内機本体２が設置されている。
【００１３】
この室内機本体２には、熱交換器（図示せず）や送風機３が内蔵されており、下面中央部には室内空気を吸込む吸込み口４が設けられ、吸込み口４の外周にはそれぞれ平行に対向する４つの空気の吹出し口５ａ，５ｂ，５ｃ，５ｄ（以下、単に５と記すことがある）が設けられている。６は下面の四隅に設けられたねじ穴である。
【００１４】
化粧パネル１０は、システム天井３０の開口部３３に対応した大きさで四角形に形成されており、図２に示すように、中央部には室内機本体２の吸込み口３に対応して、フィルタが取付けられたほぼ四角形の吸込みグリル１１が設けられている。また、この吸込みグリル１１の外周には、室内機本体２の吹出し口５ａ〜５ｄに対応してパネル吹出し口１２ａ，１２ｂ，１２ｃ，１２ｄ（以下、単に１２と記すことがある）が設けられている。１３は室内機本体２のねじ穴６に対応して設けられたねじ挿通穴である。
【００１５】
化粧パネル取付治具２０は、例えば段ボールの如き材料からなり、図３に示すように、対向する左右及び上下の平行辺２１ａと２１ｂ、２１ｃと２１ｄの間の距離が、化粧パネル１０の対向するパネル吹出し口１２ａと１２ｂ、１２ｃと１２ｄの内のり間の距離Ｌ1，Ｌ2より若干長い八角形状に形成したものである。
【００１６】
そして、対向する左右及び上下の平行辺２１ａと２１ｂ、２１ｃと２１ｄの内側に、化粧パネル１０の左右及び上下のパネル吹出し口１２ａと１２ｂ、１２ｃと１２ｄの内のり間の距離Ｌ1，Ｌ2とほぼ等しい間隔Ｌ3，Ｌ4で、ミシン目などによりそれぞれ折り目２２ａ，２２ｂ，２２ｃ，２２ｄを設け、その外周側に嵌合部２３ａ，２３ｂ，２３ｃ，２３ｄを形成したものである。
【００１７】
また、化粧パネル取付治具２０の中央部近傍には、外周側にスリットが入れられ、内周側にミシン目などによる折り目が設けられたほぼ楕円形状の２つの把持部２４ａ，２４ｂが、所定の間隔（例えば、手の親指と他方の指が挿入できる間隔）で、上下の平行辺２１ｃ，２１ｄとほぼ平行に設けられている。
【００１８】
さらに、この把持部２４ａ，２４ｂの一方の側（干渉しない位置）には、第１の段部２５ａと、この第１の段部２５ａから化粧パネル１０の厚みに相当する寸法だけ離れた位置に設けられた第２の段部２５ｂとを有し、スリットとミシン目などによって取り外し可能に形成されたほぼ階段状の高さ調整部２５が設けられている。
【００１９】
次に上記のように構成した化粧パネル取付治具２０を用いて、室内機本体２に化粧パネル１０を取付ける手順について説明する。なお、室内機本体２は、図１に示すように、システム天井３０の開口部３３に臨んで、その下面を化粧パネル１０の厚みに対応した寸法だけ天井材３２より内側（上方）にして、吊り具３４により設置されているものとする。
【００２０】
先ず、化粧パネル取付治具２０の左右及び上下の嵌合部２３ａ〜２３ｄを、折り目２２ａ〜２２ｄに沿って同方向にほぼ９０°折り曲げる。また、把持部２４ａ，２４ｂを折り目に沿って嵌合部２３ａ〜２３ｄと同方向に折り曲げて切り起こし、開口する。なお、把持部２４ａ，２４ｂは切り起こしてなく、あらかじめ貫設しておいてもよい。
【００２１】
ついで、図４に示すように、下面を上に向けた化粧パネル１０の上に化粧パネル取付治具２０を位置させ、その嵌合部２３ａ〜２３ｄを化粧パネル１０のパネル吹出し口１２ａ〜１２ｄにそれぞれ嵌合し、表面を覆って一体的に装着する。このとき、化粧パネル１０の四隅に設けたねじ挿通穴１３は露出している。
【００２２】
次に、図５に示すように、化粧パネル１０の下面を下に向けて、一方の手を化粧パネル取付治具２０の把持部２４ａ，２４ｂに挿入して保持し、化粧パネル取付治具２０と共に化粧パネル１０を持ち上げてシステム天井３０の開口部３３に挿入し、室内機本体２の下面に当接して支持する。そして、他方の手で化粧パネル１０のねじ挿通穴１３に挿通したねじ１５（図１）を、室内機本体２のねじ穴６に螺入し、固定する。
【００２３】
化粧パネル１０の固定作業が終ったときは、化粧パネル取付治具２０を下方に引っ張って化粧パネル１０から取り外す。これにより、図６に示すように、化粧パネル１０はシステム天井３０の開口部３３を閉塞して室内機本体２に確実に取付けられる。このとき、化粧パネル１０の下面は、システム天井３０の天井材３２とほぼ同一平面上に位置する。
【００２４】
本発明においては、必要に応じて化粧パネル取付治具２０から高さ調整部２５を取り外し、図７に示すように、その第１の段部２５ａをシステム天井３０の天井材３２に係止させ、第２の段部２５ｂに室内機本体２の下面を当接して位置決めし、この状態で室内機本体２を吊り具３４により吊り下げて設置する。
【００２５】
これにより、室内機本体２の下面を天井材３２の下面から化粧パネル１０の厚みに対応した寸法だけ内側（上方）に位置させることができるので、化粧パネル１０を室内機本体１０に取付けたときに、その下面を天井材３２の下面とほぼ同一平面上に容易かつ確実に位置させることができる。
【００２６】
上記の説明では、本発明をシステム天井に設置する天井カセット型室内機の化粧パネル１０の取付けに実施した場合を示したが、これに限定するものではなく、通常の天井に据付ける天井埋込型空気調和機の室内機本体への化粧パネルの取付けにも本発明を実施することができる。
【００２７】
また、上記の説明では、中央部に吸込み口３を有し、その外周の左右及び上下（前後）に対向して４つの吹出し口５ａ〜５ｄが設けられた室内機本体２の下面に、それぞれ対応した吸込みグリル１１及びパネル吹出し口１２ａ〜１２ｄを有する化粧パネル１０を、化粧パネル取付治具２０を用いて取付ける場合を示したが、本発明を実施する室内機は上記の構造に限定するものではなく、例えば、吸込み口の両側に対向して２つの吹出し口を設けた室内機本体や吸込み口の外周にほぼ等間隔で３つの吹出し口を設けた室内機本体などに、これらに対応した構造の化粧パネルを取付ける場合にも、嵌合部を吹出し口に対応して設けた化粧パネル取付治具を用いることにより、本発明を実施することができる。
【００２８】
この場合、化粧パネルに設けたパネル吹出し口が例えば対向する２つの場合は、化粧パネル取付治具をパネル吹出し口の数の２倍の辺からなる多角形（四角形）に形成し、その対向辺に嵌合部を設けてもよく、また、パネル吹出し口が等間隔で３か所に設けられている場合は、化粧パネル取付治具をパネル吹出し口の数の２倍の辺からなる多角形（六角形）に形成し、１つおきの辺に嵌合部を設けてもよい。
【００２９】
さらに、例えばパネル吹出し口が等間隔で４か所に設けられている場合は、化粧パネル取付治具を八角形に形成して１つおきの辺に嵌合部を設けるなど、化粧パネル取付治具を化粧パネルに設けたパネル吹出し口の数の２倍の辺を有する多角形に形成して、１つおきの辺に嵌合部を設けるようにしてもよい。
【００３０】
本発明によれば、化粧パネル取付治具２０を用いることにより、一方の手で化粧パネル１０を保持しながら、他方の手で室内機本体２にねじ止めすることができるので、室内機本体２への化粧パネル１０の取付けがきわめて容易であり、作業時間を短縮することができる。
また、室内機本体２への化粧パネル１０の取付けにあたっては、化粧パネル１０の下面のほぼ全範囲を化粧パネル取付治具２０で覆うようにしているので、作業中に化粧パネル１０の下面（化粧面）を傷付けることがない。
さらに、化粧パネル取付治具２０は何回でも使用できるので、経済的である。
【符号の説明】
【００３１】
１  室内機、２  室内機本体、４  吸込み口、５  吹出し口、６  ねじ穴、１０  化粧パネル、１１  吸込みグリル、１２  パネル吹出し口、１３  ねじ挿通穴、２０  化粧パネル取付治具、２２ａ〜２２ｄ  折り目、２３ａ〜２３ｄ  嵌合部、２４ａ，２４ｂ  把持部、２５  高さ調整部、２５ａ  第１の段部、２５ｂ  第２の段部、３０  システム天井、３２  天井材、３３  開口部、３４  吊り具。
【図１】
2011017507.tif 000003
【図２】
2011017507.tif 000004
【図３】
2011017507.tif 000005
【図４】
2011017507.tif 000006
【図５】
2011017507.tif 000007
【図６】
2011017507.tif 000008
【図７】
2011017507.tif 000009
【図８】
2011017507.tif 000010